(57)【要約】      （修正有）【課題】沈殿池への流入水量が変動した場合でも前段トラフと後段トラフよりの流出量比を一定にでき、死水域のない沈澱池の提供。【解決手段】前段沈殿池２に設置した前段トラフ５と後段沈殿池３に設置した後段トラフ６へ流入する上澄水の流入を自由落下で越流させ、越流負荷と越流形状を前段トラフ５、後段トラフ６とも同一とし沈殿池１に設置する事で沈殿池１の流入水量が変動し、水位が変動しても、前段トラフ５と後段トラフ６へ流入する越流条件が比例して変化するため流出量比を一定する事が可能となり、トラフ下部に開口部８を設置して死水域の原水を排出し、原水の腐敗を防止した沈澱池１。【選択図】図１
2016101577.tif 000002
【特許請求の範囲】
【請求項１】
本発明は、廃水処理装置の沈殿池（１）において、傾斜板が無い前段沈殿池（２）と、傾斜板（４）が有る後段沈殿池（３）を、阻流壁（７）で分割し、前段沈殿池（２）に設置した前段トラフ（５）と後段沈殿池に設置した後段トラフ（６）に対して、流入する水量比に近似する越流長さ、又は同一越流形状の設置数とした前段トラフ（５）と後段トラフ（６）を有する沈殿池（１）。
【請求項２】
請求項１の沈殿池において、傾斜板（４）で囲まれた前段トラフ（５）と後段トラフ（６）の底部に開口部（８）を設置して、前段トラフ（５）と後段トラフ（６）の下部に生じた死水部の水を排出できる前段トラフ（５）と後段トラフ（６）を有する沈殿池（１）。
【請求項３】
傾斜板（４）を設置した沈殿池（１）において、複数のスカムトラフ（１０）の排水水位を連通させて同時に複数のスカムトラフ（１０）の排水を１つの開閉装置（１２）で可能としたスカムトラフ（１０）を有する沈澱池（１）
【発明の詳細な説明】
【技術分野】
【０００１】  本発明は、廃水処理装置における沈殿池（１）において、沈殿池（１）を傾斜板が無い前段沈殿池（２）と傾斜板（４）が有る後段沈殿池（３）とに阻流壁（７）で分割し、前段沈殿池（２）には、固液分離した上澄水の一部が流出する前段トラフ（５）を設置し、後段沈殿池（３）には、傾斜板（４）を通過した上澄水が流出する後段トラフ（６）を設置した、沈殿池（１）に設置するトラフに関する技術である。又スカム排水に関する技術である。
【背景技術】
【０００２】  従来、前段トラフ（５）と後段トラフ（６）より流出する水量は、トラフ出口に設置した流量制御装置で実施してきた。又、傾斜板（４）で前段トラフ（５）と後段トラフ（６）の一部を囲むと前段トラフ（５）と後段トラフ（６）の下部には死水域が発生した。又、スカムトラフ（１０）の排水を実施するためにスカムトラフ（１０）と開閉装置（１２）をセットで設置した。
【発明が解決しようとする課題】
【０００３】  沈殿池（１）への流入水量が変動した場合、前段トラフ（５）と後段トラフ（６）よりの流出流量比を一定にする事が沈澱地（１）での除去効率を上昇させる為に望ましい。しかし、トラフの出口側に設置した手動の流量制御装置で前段トラフ（５）と後段トラフ（６）よりの流出流量比を一定する事は自由落下の越流部が形成出来ず困難である。又、前段トラフ（５）と後段トラフ（６）の下部には、死水域が生じ、原水が腐敗し水処理に悪影響を生じた。
又、スカムトラフ（１０）が独立しているので夫々のスカムトラフ（１０）に開閉装置（１２）を設置する必要が有った。
【課題を解決するための手段】
【０００４】  上記の課題を解決する為、本発明は、前段沈殿池（２）に設置した前段トラフ（５）と後段沈殿池に設置した後段トラフ（６）へ流入する上澄水の流入を自由落下で越流させ、越流負荷を同一にした前段トラフ（５）と後段トラフ（６）を沈殿池（１）に設置する事により、沈殿池（１）の流入水量が変動し、沈殿池の水位が変動しても、前段トラフ（５）と後段トラフ（６）へ流入する越流条件が比例して変化するので前段トラフ（５）と後段トラフ（６）より流出する流量比を一定する事が可能となる。又トラフ下部に開口部（８）を設置して死水域の原水を排出する為、原水が腐敗を防止した。
又、其々のスカムトラフ（１０）を連通管（１１）で連絡し、連結したスカムトラフ（１０）の排水を１つの開閉装置（１２）でスカムトラフ（１０）の排水が可能とした。
【発明の実施形態】
【０００５】  トラフ形状を図２に示すオリフィス式トラフとし、前段トラフ（２）と後段トラフ（６）が一体化した場合の沈殿池（１）の構造図を図１に示す。図２はオリフィスより越流しているが、もぐりオリフィスとしても良い。沈殿池（１）は阻流壁（７）により、前段沈殿池（２）と後段沈殿池（３）に分割される。前段沈殿池（２）に流入した原水の一部は、固液分離後、上澄水として前段トラフより流出する。残りの原水は、後段沈殿池（３）に設置した傾斜板（４）の下部より流入し、傾斜板（４）を通過した後、上澄水として後段トラフより流出する。この時、前段トラフ（５）と後段トラフ（６）には形状が同一で水深Ｈが同一のオリフィスが設置されている。
オリフィスの水深がＨの時、オリフィス１個の流出量をｑとし、処理水量の量を前段沈殿池でＱ１、後段沈殿池でＱ２とし、オリフィスの設置数を前段トラフ（５）にＮ１個、後段トラフ（６）にはＮ２個とすると下記の（１）、（２）式が成立する。
Ｑ１＝ｑ×Ｎ１‥‥‥（１）、Ｑ２＝ｑ×Ｎ２‥‥‥（２）、
沈殿池への流入水量が変化するとオリフィスの水深のＨが変化するが、前段トラフ（５）と後段トラフ（６）のｑも比例して変化する。従って、処理水量の比＝Ｑ１／Ｑ２、は常に一定値となる。この事は、前段トラフ（５）と後段トラフ（６）の越流負荷が同一となる事を意味する。
トラフ形状を図４に示すＶノッチ式トラフの場合は、オリフィス式トラフと同様に前段トラフ（５）と後段トラフ（６）に設置したＶノッチの数量を計算すれば良い。
トラフ形状を図５に示す全幅堰式トラフの場合は、オリフィス式トラフのオリフィスの設置数の代わりに前段トラフ（５）と後段トラフ（６）の全幅堰長の比を水量比と同一にすれば良い。尚、図１は前段トラフ（５）と後段トラフ（６）が連続しているが、図３に示す如く別々に設置しても同様である。
オリフィス式トラフが傾斜板（４）で囲まれた場合を図６に示す。この時、傾斜板（４）下部の水はオリフィス式トラフ下部に設置した開口部（８）より流出する。この事によりトラフ下部の死水域が発生しない。開口部（８）はトラフ下部の水が均一に流出するよう均等距離に配置する事が良い。Ｖノッチ式トラフ、全幅堰式トラフの場合も同様に開口部（８）を設置する事により死水域の発生が防止できる。トラフ形状を図２に示すオリフィス式トラフとし、前段トラフ（５）と後段トラフ（６）を別々にした場合の沈殿池（１）の構造図を図６に示す。前段トラフ（５）が傾斜板（４）で囲まれる場合は後段トラフ（６）と同様に開口部（８）を設置する。
其々の
【発明の効果】
【０００６】  本発明により、沈殿池（１）への流入する原水量が変動しても、前段沈殿池（２）の処理水量Ｑ１と後段沈殿池（３）の処理水量の比＝Ｑ１／Ｑ２は常に一定となり、前段沈殿池（２）と後段沈殿池（３）の表面積負荷の比率が一定となり、沈殿効率が安定する。
沈澱池（１）の水位が低下した時、開口部（８）よりトラフ内の水が流出するので、トラフ荷重が低下する効果もある。又、トラフ下部の死水域を防止する事により原水の腐敗が防止できる。
開閉装置（１２）の設置数量が削減されるので、設備の建設費用削減効果が有る。
【図面の簡単な説明】
【０００７】
【図１】オリフィス式トラフとし前段トラフ（５）と後段トラフ（６）を一体とした場合の実施例
【図２】オリフィス式トラフの実施例
【図３】オリフィス式トラフとし前段トラフ（５）と後段トラフ（６）を別々とした場合の実施例
【図４】Ｖノッチ式トラフの実施例
【図５】全幅堰式トラフの実施例
【図６】オリフィス式トラフが傾斜板（４）で囲まれた場合の実施例
【図７】其々のスカムトラフに開閉装置を設置した例
【図８】スカムトラフを連通させた実施例
【符号説明】
（１）は沈殿池、（２）は前段沈殿池、（３）は後段沈殿池、（４）は傾斜板、（５）は前段トラフ、（６）は後段トラフ、（７）は阻流壁、（８）は開口部、（１０）はスカムトラフ、（１１）は連通管、（１２）は開閉装置
【図１】
2016101577.tif 000003
【図２】
2016101577.tif 000004
【図３】
2016101577.tif 000005
【図４】
2016101577.tif 000006
【図５】
2016101577.tif 000007
【図６】
2016101577.tif 000008
【図７】
2016101577.tif 000009
【図８】
2016101577.tif 000010